(57)【特許請求の範囲】
【請求項１】
引抜きダイス（１）および連続作動する引抜き装置を有する引抜き機械であって、
この引抜き装置が、牽引機構を有しており、
この牽引機構が、
（ａ）平行に互いに並行する、２つの無端チェーン状の牽引要素（３）と、
（ｂ）上記各牽引要素（３）を、循環させる２つの回転ホイール（４）と、
（ｃ）引抜きされるべき線材（７）、管体または形材を把持する締付けジョー（５）を保持すると共に、上記牽引要素（３）に移動可能に組み込まれた、複数の締付け装置（６）と、および、
（ｄ）互いに向き合い協動するこれら各締付けジョー（５）を、近づかせたり離れさせたりするように移動させる制御カム（８）とから成り、
その際、これら締付け装置（６）がローラ（１３）を有しており、これらローラが、所属する牽引要素（３）の移動に基づいて、制御カム（８）上で案内されており、
この制御カム（８）により、上記ローラ（１３）を有する締付け装置（６）が移動し、当該締付け装置（６）に保持されている締付けジョー（５）が移動される様式の、
上記引抜き機械において、
これら締付け装置（６）が、これら締付けジョー（５）を保持する保持棒（１１）を有しており、
これら保持棒（１１）が、上記牽引要素（３）を通って、上記回転ホイール（４）の回転軸線に平行の方向で貫通係合していることを特徴とする引抜き機械。
【請求項２】
締付け作用を増大するために、これら上記の締付け装置（６）は、
それぞれに、互いに向かい合って摺動可能な、上記締付けジョー（５）を担持する、締付けを増大するための締付けジョー用くさび部材（９ｂ）を備えており、
これらくさび部材の一方のくさび部材が、締付けジョー（５）と、線材（７）、管体または形材との摩擦接触において、他方のくさび部材に対して、線材（７）、管体または形材が把持された際に相対的に摺動し、
その際、増大されたくさび作用、および締付作用が、線材（７）、管体または形材に与えられるように構成されていることを特徴とする請求項１に記載の引抜き機械。
【発明の詳細な説明】
【技術分野】
【０００１】
本発明は、引抜きダイスおよび連続作動する引抜き装置を有する引抜き機械であって、
この引抜き装置が、牽引機構を有しており、
この牽引機構が、
（ａ）平行に互いに並行する、２つの無端チェーン状の牽引要素と、
（ｂ）上記各牽引要素を、循環させる２つの回転ホイールと、
（ｃ）引抜きされるべき線材、管体または形材を把持する締付けジョーを保持すると共に、上記牽引要素に移動可能に組み込まれた、複数の締付け装置と、および、
（ｄ）互いに向き合い協動するこれら各締付けジョーを、近づかせたり離れさせたりするように移動させる制御カムとから成り、
その際、これら締付け装置がローラを有しており、これらローラが所属する牽引要素の移動に基づいて制御カム上で案内されており、
この制御カムにより、上記ローラを有する締付け装置が移動し、当該締付け装置に保持されている締付けジョーが移動される様式の、
上記引抜き機械に関する。
【背景技術】
【０００２】
この様式の引抜き機械は、ドイツ連邦共和国特許出願公開第２４４９５７９号明細書、ドイツ連邦共和国特許出願公開第２７３２８７０号明細書、ドイツ連邦共和国特許出願公開第３１４６９３１号明細書、米国特許第１，９１１，１５７号明細書、米国特許第３，１１６，８６５号明細書、米国特許第５，３４６，１１２号明細書から公知であり、これら引抜き機械でもって、線材が連続的に引抜きされる。この目的で、この線材は、上側の、無端の、周囲に延在するチェーンの下側の回転ホイール間の部分と、下側の、無端の、周囲に延在するチェーンの上側の回転ホイール間の部分との間で、締付けられ、且つ引抜きされる。これら公知の引抜き機械は、著しい構造的な経費を必要とする。更に、これら引抜き機械は、高い度合いで磨耗を引き起こされる。何故ならば、この線材の締付けのために、力がこれらチェーンに対して、これらチェーンの走行方向に対して横方向に与えられるからである。締付けのこの様式は、それに加えて、著しい、煩わしい騒音発生を誘起する。
【発明の開示】
【発明が解決しようとする課題】
【０００３】
従って、本発明の課題は、この公知の引抜き機械の欠点を回避すること、および、線材、管体、及び／または形材のための信頼性の高い引張りを保障することである。
【課題を解決するための手段】
【０００４】
この課題は本発明に従い、
引抜きダイスおよび連続作動する引抜き装置を有する引抜き機械であって、
この引抜き装置が、牽引機構を有しており、
この牽引機構が、
（ａ）平行に互いに並行する、２つの無端チェーン状の牽引要素と、
（ｂ）上記各牽引要素を、循環させる２つの回転ホイールと、
（ｃ）引抜きされるべき線材、管体または形材を把持する締付けジョーを保持すると共に、上記牽引要素に移動可能に組み込まれた、複数の締付け装置と、および、
（ｄ）互いに向き合い協動するこれら各締付けジョーを、近づかせたり離れさせたりするように移動させる制御カムとから成り、
その際、これら締付け装置がローラを有しており、これらローラが所属する牽引要素の移動に基づいて制御カム上で案内されており、
この制御カムにより、上記ローラを有する締付け装置が移動し、当該締付け装置に保持されている締付けジョーが移動される様式の、
上記引抜き機械において、
これら締付け装置が、これら締付けジョーを保持する保持棒を有しており、
これら保持棒が、上記牽引要素を通って、上記回転ホイールの回転軸線に平行の方向で貫通係合していることによって解決される。
即ち換言すれば、本発明の課題は、
引抜きダイス、および連続的に作動する引抜き装置を有する引抜き機械であって、
その際、引抜き装置が、ただ１つの無端の牽引機構を有しており、
この牽引機構が、２つの平行に走行する無端チェーン状の牽引要素から形成されており、
この牽引要素が、軸線方向に平行な回転ホイールの周りを案内されており、且つ、これら回転ホイールの内の少なくとも１つの回転ホイールを介して、制御された状態で移動されおり、
この牽引要素が、締付けジョーを保持した締付け装置と結合されており、
第１の牽引要素と結合された締付けジョーの内のそれぞれ１つの締付けジョーが、第２の牽引要素に設けられた締付けジョーの内の１つの締付けジョーと協動作用し、および、
これら締付けジョーが、引抜きされるべき線材、管体、または形材を把持するために、制御された状態で、互いに向かい合って近づく、または互いに離れるように移動可能である様式の、上記引抜き機械において、
これら締付け装置が、締付けジョーを保持する保持棒を有しており、
これら保持棒が、それぞれに、所属する牽引要素を貫いて、回転ホイールの軸線に対して平行な方向において貫通係合することによって解決される。
【発明の効果】
【０００５】
この引抜き機械の有利な更なる構成は、特に従属請求項２から与えられる。
有利な実施形態において、牽引要素は、無端チェーン状である。
有利な実施形態において、制御カム（制御手段）は、制御カムであり、且つ、締付けジョーがこれら制御カムによって移動されるように構成されており、
即ち換言すれば、
締付けジョーが、制御カムを介して制御されている。
また有利な実施形態において、締付けジョーは、液圧的または空気圧的制御手段により移動され、即ち、
締付けジョーが、液圧的にまたは空気圧的に制御されている。
また有利な実施形態において、締付け作用を増大するために、これら上記の締付け装置は、
それぞれに、互いに向かい合って摺動可能な、上記締付けジョーを担持する、締付けを増大するための締付けジョー用くさび部材を備えており、
これらくさび部材の一方のくさび部材が、締付けジョーと、線材、管体または形材との摩擦接触において、他方のくさび部材に対して、線材、管体または形材が把持された際に相対的に摺動し、
その際、増大されたくさび作用、および締付作用が、線材、管体または形材に与えられるように構成されている。
【０００６】
次に、本発明による引抜き機械の二三の実施の形態を、図面に基づいて説明する。
【発明を実施するための最良の形態】
【０００７】
本発明による引抜き機械は、
引抜きダイス１および連続作動する引抜き装置を有する引抜き機械であって、
この引抜き装置が、牽引機構を有しており、
この牽引機構が、
（ａ）平行に互いに並行する、２つの無端チェーン状の牽引要素３と、
（ｂ）上記各牽引要素３を、循環させる２つの回転ホイール４と、
（ｃ）引抜きされるべき線材７、管体または形材を把持する締付けジョー５を保持すると共に、上記牽引要素３に移動可能に組み込まれた、複数の締付け装置６と、および、
（ｄ）互いに向き合い協動するこれら各締付けジョー５を、近づかせたり離れさせたりするように移動させる制御カム８とから成り、
これら締付け装置６が、ローラ１３を有しており、これらローラが所属する牽引要素３の移動に基づいて制御カム８上で案内されており、
この制御カム８により締付け装置６が移動し、当該締付け装置６に保持されている締付けジョー５が移動される、
上記引抜き機械において、
これら締付け装置６が、これら締付けジョー５を保持する保持棒１１を有しており、
これら保持棒１１が、上記牽引要素３を通って、上記回転ホイール４の回転軸線に平行の方向で貫通係合している。
図１内において、本願発明の引抜き機械の１つの実施の形態の側面図が図示されており、この実施の形態の場合、牽引機構は、チェーンとして形成されている。
図２内において、図１による実施の形態の平面図が図示されている。
図３内において、図１の線Ｂ−Ｂに沿った、水平方向断面図が図示されている。
図４内において、閉じた締付けジョー５の場合の、図１の線Ｃ−Ｃに沿った断面図が図示されている。
図５内において、開放された締付けジョー５の場合の、図４に相応する図が図示されている。
図６内において、駆動側の回転ホイール４および締付け装置６の軸方向断面図が図示されている。
図７内において、制御カム８、およびばねを介しての復帰動作による、締付け装置６の制御に関する実施の形態の図が図示されている。
図８内において、同様に制御カム８を介しての、制御カム８および復帰動作による、締付け装置６の制御に関する更に別の実施の形態の図が図示されている。
図１０内において、引抜きダイス１を有する、引抜きダイス保持部２に関する断面図が図示されている。
更に、図１１内において、線材装填のための装置を有する、図１に類似した図が図示されている。
図面に示された本発明による引抜き機械の実施の形態は、調和した状態で、それぞれに、２つの回転ホイール４を介して走行する２つの無端チェーン状の牽引要素３を有し、これら回転ホイールのそれぞれ１つの回転ホイールが駆動されている。この駆動される回転ホイール４は、両方の駆動されていない回転ホイール４の場合におけると同様に、それぞれに、共通の軸１２に装着している。これらチェーン状の牽引要素３は、それぞれに多数の締付け装置６と結合されている。それぞれ２つの、異なる牽引要素３に所属する締付け装置６は、これら締付け装置に保持されている締付けジョー５でもって線材７を把持するために協動作用する。これら締付け装置６は、ローラ１３を有しており、これらローラが所属する牽引要素３の移動に基づいて制御カム８上で案内される。それぞれの締付け装置６に保持されている締付けジョー５は、２つの保持棒１１を介して保持されており、これら保持棒が、所属するチェーン状の牽引要素３を貫いて、貫通案内されている。これら保持棒１１は、一方では、締付け装置が所属する牽引要素３を介して駆動されるように作用する。他方では、それぞれの牽引要素３に対して、この牽引要素３の走行方向に対して横方向に整向された力が作用すること無しに、協動作用する締付けジョー５は、これら保持棒１１を介して、互いに向かい合って近づいて移動される。即ち、互いに向かい合って近づく状態、または互いに離れる状態でのこれら締付けジョー５の移動は、これら牽引要素３から解離されており、このことによって、これら牽引要素３が、比較的に僅かな磨耗を有している。
【０００８】
制御カム８は、締付け装置６が上側の回転ホイール間の部分の初端部領域において線材７を把持状態に互いに向かい合って近づいて移動され、且つこの回転ホイール間の部分の端部に向かってこの線材７を解放状態に、互いに離れて移動されるように形成されている。
【０００９】
締付け作用を増大するために、個別の締付け装置６内に設けられた締付けジョー用くさび部材９ｂ（図９参照）が配置されている。ここで、図９内において、締付けを増大するためのくさび部材９ｂを有する、図７に類似した図が図示されている。図９によるくさび部材９ｂの場合、線材７が把持された際、相対的な移動の状態になる。
【図面の簡単な説明】
【００１０】
【図１】１つの実施の形態の側面図であり、この実施の形態の場合、牽引機構は、無端のチェーンとして形成されている。
【図２】図１による実施の形態の平面図である。
【図３】図１の線Ｂ−Ｂに沿った、水平方向断面図である。
【図４】閉じた締付けジョーの場合の、図１の線Ｃ−Ｃに沿った断面図である。
【図５】開放された締付けジョーの場合の、図４に相応する図である。
【図６】駆動側の回転ホイールおよび締付け装置の軸方向断面図である。
【図７】制御カム、およびばねを介しての復帰動作による、締付け装置の制御に関する実施の形態の図である。
【図８】同様に制御カムを介しての、制御カムおよび復帰動作による、締付け装置の制御に関する更に別の実施の形態の図である。
【図９】締付けを増大するためのくさび部材を有する、図７に類似した図である。
【図１０】引抜きダイスを有する、引抜きダイス保持部に関する断面図である。
【図１１】線材装填のための装置を有する、図１に類似した図である。
【図１】
0004198994.tif 000002
【図２】
0004198994.tif 000003
【図３】
0004198994.tif 000004
【図４】
0004198994.tif 000005
【図５】
0004198994.tif 000006
【図６】
0004198994.tif 000007
【図７】
0004198994.tif 000008
【図８】
0004198994.tif 000009
【図９】
0004198994.tif 000010
【図１０】
0004198994.tif 000011
【図１１】
0004198994.tif 000012